(57)【要約】【課題】  成形し易い単純な形状で、しかも植生や苔が付着し易く、浄化作用も兼ねた護岸や川底に敷設するコンクリートブロックを提供する。【解決手段】  球形或は楕円球状であって、中央に貫通孔を設け、コンクリートにポーラスコンクリートを用いるもので、ブロックの表面は粗荒面となり、内部も粗密となっている。中央の貫通孔を正面に向けて敷設することにより自然に土が入り、植生や苔の繁殖が盛んになる。【選択図】  図１
2005113650.tif 000002
【特許請求の範囲】
【請求項１】
球形又は楕円球形のコンクリートブロックであって、中心に貫通孔を設け、全体を炭粉を混入したポーラスコンクリートで成形したコンクリートブロック。
【請求項２】
球形又は楕円球形の半截したコンクリートブロックであって、該截断した面の中央の長手方向に半円形の凹部を設けると共に左右両側に嵌合用の凹凸を形成し、全体を炭粉を混入したポーラスコンクリートで成形したコンクリートブロック。
【発明の詳細な説明】
【技術分野】
【０００１】  従来、コンクリートブロックは建築用又は土木用とあって、それぞれ使用する場所によって様々な形状のものが公知である。本発明は土木用の中でも、特に水路用として護岸の改修や河床の補修に敷設すること、或はガーデニング用の囲い石として使用するコンクリートブロックに関する。
【背景技術】
【０００２】  しかし、このようにコンクリートブロックで改修された河川は縁のない殺風景な景色となるばかりか、魚や水生昆虫も棲めない環境となる。【０００３】  このため植生ブロックや魚巣ブロック等幾多の変形な特異な形状のコンクリートブロックが開発されてはいるが、成形が困難なことに加えて自然環境の復元に乏しいという欠点があった。
【特許文献】  特開平１１−９３１３５号公報
【発明の開示】
【発明が解決しようとする課題】
【０００４】  上記公知技術は、このような変形コンクリートブロックの中でも特に異形の存在である。この公知例は、護岸植生ブロックであって枕型の空洞形で多数の透孔が設けてあって植生に適しているというものであるが、どのようにして成形するものか理解できない。【０００５】  本考案は、前記公知例のように異形で、しかも成形が困難なコンクリートブロックでなく、単純な球形あるいは楕円球形又は半球形あるいは半楕円球形のコンクリートブロックであって、土木用に或はガーデニング用として苔などの植生や水質の浄化を目的とするものである。
【課題を解決するための手段】
【０００６】  本発明のコンクリートブロックはこのような目的を達成するために開発したものであって、コンクリートの材質として炭粉を混入したポーラスコンクリートを選び、球形又は楕円球形或は半球形又は半楕円球形とし、この中央に貫通孔或は半円形の凹部を設けるものであって、この貫通孔又はこの凹部には敷設中に土砂が浸入して植物の繁殖を促がし、又炭粉を混入したポーラスコンクリートは浸水性があるため藻や苔の発生を早め付着がよく、さらには炭粉を混入することによってブロック自体が黒色を呈し、このため太陽熱の吸収がよく、また水の浄化作用があり、緑を要する土留やガーデニング用或は河川に使用して水の浄化が図られる。
【発明の効果】
【０００７】  上述のように本発明のコンクリートブロックは、形状が球形又は楕円球形或は半球形又は半楕円球形であるため成形が容易であり、貫通孔や凹部を設けることによって、設置或は積み上げに際して、貫通孔又は凹部内に土が侵入するため底土や盛土とのなじみがよく安定性がある。【０００８】  又炭粉を混入したポーラスコンクリートを使用しているため浸水性がに加えて太陽熱の吸収がよく、藻や苔の発生を早め水の浄化の作用があり、従来のコンクリートブロックには見られない数多くの作用効果を奏する。
【発明を実施するための最良の形態】
【０００９】  本発明の炭入りのポーラスコンクリートとは砂、砂利、炭粉等の骨材に対してセメント比を少くして空隙を形成することによって多孔質としたコンクリートを指すもので、セメント・骨材の比率は特に限定しない。又、炭粉は木炭の粉砕物が適しているが廃棄物の焼却ゴミでも応用できる。
【実施例】
【００１０】  添付図面により本発明を説明すると、図１，図２は球形のコンクリートブロックを示すもので、図１は正面図、図２は図１のＡ−Ａ断面図である。また図３，図４は楕円球形のコンクリートブロックであって、図３は正面図、図４は図３のＡ−Ａ断面図である。又図５は半球形のコンクリートブロックの正面図、図６は半楕円球形のコンクリートブロックの正面図である。図中の（１）はコンクリートブロックであり、（２）は中央に設けた貫通孔、（２−１）は凹部を示している。また（３），（４）は嵌合用の凹凸を示す。図中の（６）は炭粉を示している。【００１１】  また図７は枠箱（３）の中に本発明のコンクリートブロック（１）を配置して敷設する実施例図であり、図８は乱積に配置した実施例図であって共に川底に設置する。【００１２】  このコンクリートブロックの設置に当っては常に中央の貫通孔（２）を正面に向けて配置することを良とし、半截のブロックは向い合わせ、凹凸の嵌合片（３），（４）を組み合わせて使用する。このように配置することによって底部から土砂が侵入して固着し、ブロックの安定が図られ、また正面側からは自然に植物の種子が付着して植生ブロックのような形態となり、また水生昆虫の棲み所としての環境もよく、しかもブロックを形成するコンクリートが炭粉入りのポーラスコンクリートであるため、太陽熱の吸収がよく、しかも疎質であるため、藻や苔の付着が盛んとなり水質の浄化に役立つという幾多の作用効果を有する。
【産業上の利用可能性】
【００１３】  本発明のコンクリートブロックは、形状が単純であるため成形が容易であり、護岸用の積みブロックとしても、また水流制御の敷きブロックとしても、多目的に利用でき、水草の育生や苔の生成にも適しているため、ガーデニング用としても可能であり、さらには景観の点からみても河川工事用として広く利用できる。
【図面の簡単な説明】
【００１４】
【図１】  球形コンクリートブロックの正面図
【図２】  図１Ａ−Ａ断面図
【図３】  楕円球形コンクリートブロックの正面図
【図４】  図３Ａ−Ａ断面図
【図５】  枠箱内に配置した実施例図
【図６】  川底に設置した実施例図
【符号の説明】
【００１５】（１）…コンクリートブロック
（２）…貫通孔
（２−１）…凹部
（３）…凹穴
（４）…凸片
（５）…枠箱
（６）…炭粉
【図１】
2005113650.tif 000003
【図２】
2005113650.tif 000004
【図３】
2005113650.tif 000005
【図４】
2005113650.tif 000006
【図５】
2005113650.tif 000007
【図６】
2005113650.tif 000008
【図７】
2005113650.tif 000009
【図８】
2005113650.tif 000010
【手続補正書】
【提出日】平成15年12月13日(2003.12.13)
【手続補正１】
【補正対象書類名】明細書
【補正対象項目名】００１４
【補正方法】変更
【補正の内容】
【００１４】
【図１】  球形コンクリートブロックの正面図
【図２】  図１Ａ−Ａ断面図
【図３】  楕円球形コンクリートブロックの正面図
【図４】  図３Ａ−Ａ断面図
【図５】  半円球のコンクリートブロックの正面図
【図６】  半楕円球のコンクリートブロックの正面図
【図７】  枠箱内に配置した実施例図
【図８】  川底に設置した実施例図